(57)【要約】【課題】商品の入れ替えを簡単に行える陳列装置を提供すること。【解決手段】  陳列部を備えた陳列装置１００であって、固定枠２００と、当該固定枠２００に対して前後方向にスライド可能な可動棚３００を備え、さらに、前記可動棚３００は、回転軸３４１を介して当該可動棚３００に回転可能に固定された回転部３４０を備え、前記回転部３４０の前面側と後面側には、商品を陳列する陳列部（３４２、３４３）がそれぞれ設けられていることを特徴とする。【選択図】図１
2019024523.tif 000002
【特許請求の範囲】
【請求項１】
陳列部を備えた陳列装置であって、
固定枠と、当該固定枠に対して前後方向にスライド可能な可動棚を備え、
さらに、前記可動棚は、回転軸を介して当該可動棚に回転可能に固定された回転部を備え、
前記回転部の前面側と後面側には、商品を陳列する陳列部がそれぞれ設けられていることを特徴とする陳列装置。
【請求項２】
前記可動棚を前記固定枠に固定する固定部材を備え、
当該固定部材の上下方向へのスライドによって、前記可動棚が前記固定枠に固定される、又は前記可動棚の前記固定枠への固定が解除されることを特徴とする請求項１に記載の陳列装置。
【請求項３】
前記可動棚の前記固定枠への固定が解除された状態を保持する保持部材を備えることを特徴とする請求項２に記載の陳列装置。
【発明の詳細な説明】
【技術分野】
【０００１】
本願発明は、店舗等で商品を陳列するための陳列装置に関するものである。
【背景技術】
【０００２】
従来から、スーパーやコンビニ等の店舗で、商品を陳列するための陳列装置が利用されており、この陳列装置の陳列棚には、前後一列に複数の商品が整列されている。そして、スーパーやコンビニ等の店舗では営業時間が長い場合があり、一日のうちの朝、昼、晩といった時間帯によって、来店する客層が異なっている。そのため、時間帯に合わせて、来店する客層に合わせた商品を入れ替える店舗が近年増加している。その場合は、陳列棚に陳列されている商品を一旦取り出して、別の保管場所に移しておき、その時間帯に合わせた別の商品に入れ替えている。
【０００３】
しかしながら、この従来の陳列装置では、商品の入れ替え作業が非常に面倒であり、作業員に過大な負担をかけるという問題があった。
【発明の開示】
【発明が解決しようとする課題】
【０００４】
そこで、本願発明は上記問題に鑑み、商品の入れ替えを簡単に行える陳列装置を提供することを目的としている。
【課題を解決するための手段】
【０００５】
本願発明の陳列装置は、陳列部を備えた陳列装置であって、固定枠と、当該固定枠に対して前後方向にスライド可能な可動棚を備え、さらに、前記可動棚は、回転軸を介して当該可動棚に回転可能に固定された回転部を備え、前記回転部の前面側と後面側には、商品を陳列する陳列部がそれぞれ設けられていることを特徴とする。
【０００６】
上記特徴によれば、可動棚を前方にスライドさせて、回転部を回転させれば、回転部の前面側の陳列部と後面側の陳列部を瞬時に入れ替えることができる。そのため、従来のように、陳列部に陳列されている商品を一旦取り出して、別の保管場所に移しておき、別の商品に入れ替える必要がなく、商品の入れ替え作業が非常に簡単なのである。
【０００７】
さらに、本願発明の陳列装置は、前記可動棚を前記固定枠に固定する固定部材を備え、当該固定部材の上下方向へのスライドによって、前記可動棚が前記固定枠に固定される、又は前記可動棚の前記固定枠への固定が解除されることを特徴とする。
【０００８】
上記特徴によれば、固定部材の上下方向へのスライドに伴って、可動棚の固定枠への固定、又はその固定が解除されるので、操作が非常に行い易いのである。
【０００９】
本願発明の陳列装置は、前記可動棚の前記固定枠への固定が解除された状態を保持する保持部材を備えることを特徴とする。
【００１０】
上記特徴によれば、固定が解除された状態が保持されているので、可動棚の移動及び収容の操作が行い易い。
【発明の効果】
【００１１】
上記に記したように、本願発明の陳列装置によれば、商品の入れ替えを簡単に行える。
【図面の簡単な説明】
【００１２】
【図１】（ａ）は、本願発明に係る陳列装置の正面図、（ｂ）は陳列装置の側面図である。
【図２】（ａ）は陳列装置の斜視図、（ｂ）は陳列装置の可動棚の上端側を拡大して示した斜視図である。
【図３】（ａ）は、陳列装置の可動棚の上端付近を拡大した斜視図、（ｂ）は、図３（ａ）におけるＡ―Ａ断面図である。
【図４】（ａ）は、陳列装置の可動棚の上端付近を拡大した斜視図、（ｂ）は、図４（ａ）におけるＢ―Ｂ断面図である。
【図５】（ａ）は陳列装置の斜視図、（ｂ）は、前方へ移動させた可動棚の上端側を拡大して示した斜視図である。
【図６】（ａ）は、本願発明の変形例に係る陳列装置の可動棚の上端付近を拡大した斜視図、（ｂ）は、図６（ａ）におけるＣ―Ｃ断面図である。
【図７】（ａ）は、可動棚の上端付近を拡大した斜視図、（ｂ）は、図７（ａ）におけるＤ―Ｄ断面図である。
【図８】（ａ）は、図７（ｂ）に示す状態から、可動棚を前方へスライド移動させている断面図、（ｂ）は図８（ａ）に示す状態において、可動棚を後方へスライド移動させている断面図である。
【符号の説明】
【００１３】
１００        陳列装置
２００        固定枠
３００        可動棚
３４０        回転部
３４１        回転軸
３４２        陳列部
３４３        陳列部
【発明を実施するための形態】
【００１４】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００１５】
図１及び図２は、本願発明の陳列装置１００を示しており、図１（ａ）は陳列装置１００の正面図、図１（ｂ）は陳列装置１００の側面図、図２（ａ）は陳列装置１００の斜視図、図２（ｂ）は陳列装置１００の可動棚３００の上端側を拡大して示した斜視図である。また、本明細書で使用する「上方」とは、図１（ａ）に示すように、水平面に設置された陳列装置１００に対して、鉛直方向の上側に向かう方向のことであり、「下方」とは、鉛直方向の下側に向かう方向のことである。
【００１６】
まず、陳列装置１００は、全体が金属製であり、後面側の固定枠２００と、前面側の可動棚３００とから構成されている。そして、固定枠２００は、店舗等の床に設置される複数の脚部２１０と、両側の脚部２１０に連結されて上下方向に延びる支柱２２０と、両側の支柱２２０を連結する上端部２３０とからなり、全体が枠体形状をしている。また、脚部２１０及び支柱２２０は、下方側が下方支柱２２１により互いに連結され、上方側が上方支柱２２２により互いに連結されている。この下方支柱２２１及び上方支柱２２２は、横方向に延びる棒状部材であり、縦断面が略四角形となっている。
【００１７】
また、脚部２１０の内側側面には、後述する可動棚３００を前後にスライドさせるレール部材が取り付けられている。また、上端部２３０の前方には、ＰＯＰケース２３１が回転軸２３２によって回転可能に固定されており、陳列装置１００の使用時には、ＰＯＰケース２３１を下方に回転移動させて（図面の矢印参照）、買い物客がＰＯＰケース２３１を目視できるようにしている。
【００１８】
また、陳列装置１００は、２つの可動棚３００を収容しており、この可動棚３００は略直方体形状をしている。具体的には、可動棚３００は、板状の底部３１０と、当該底部３１０の後端両側から上方向に延びる支柱３２０と、当該支柱３２０を連結する上端部３３０とからなり、全体が枠体形状をしている。なお、陳列装置１００は、２つの可動棚３００を備えているが、これに限定されず、１つ又は３つ以上の可動棚３００を備えても良い。
【００１９】
また、底部３１０の下面にはローラＲが取り付けられ、底部３１０の外側側面と脚部２１０の内側側面との間にはレール部材が取り付けられているので、可動棚３００は、固定枠２００に対して前後方向にスライドできる。
【００２０】
また、図２（ｂ）に示すように、可動棚３００の上端部３３０は、後方端部３３１と、当該後方端部３３１の両側に連結された側端部３３２と、当該両側の側端部３３２を連結する前方端部３３３とからなり、全体が枠体形状をしている。
【００２１】
上端部３３０の前方端部３３３には、回転部３４０の回転軸３４１が形成され、下方側の底部３１０にも回転軸３４１が形成されている。そして、この回転部３４０は、この上下の回転軸３４１を介して回転可能に固定されている。また、この回転部３４０は、上下方向に延びる枠体形状をしており、前面側には商品を陳列する陳列部３４２が設けられ、同様に後面側にも陳列部３４３が設けられている。この陳列部３４２及び陳列部３４３には、例えば、時間帯に応じた異なる商品を陳列できる。
【００２２】
なお、陳列部３４２及び陳列部３４３は、板状の棚であるが、これに限定されず、商品を吊り下げて陳列する棒状部材等、商品を陳列する部材であれば、任意の形状とすることができる。また、回転部３４０は枠体形状をしており、その表面に格子が取り付けられているが、これに限定されず、回転部３４０の形状は、前面側と後面側に陳列部を備えた形状であれば、任意の形状とすることができる。
【００２３】
では次に、可動棚３００の後方端部３３１に取り付けられた固定部材４００の構造について、図３を参照しながら説明する。なお、図３（ａ）は、可動棚３００の上端付近を拡大した斜視図、図３（ｂ）は、図３（ａ）におけるＡ―Ａ断面図である。
【００２４】
まず、固定部材４００が取り付けられている可動棚３００の後方端部３３１は、図３（ｂ）に示すように、断面略四角形状の下側後方端部３３５と、当該下側後方端部３３５の上面に覆い被さるように配置されている断面略コ字状の上側後方端部３３４とからなる。この下側後方端部３３５は両側の支柱３２０まで延びており、当該下側後方端部３３５の両端は支柱３２０に連結固定されている。一方、上側後方端部３３４も両側の支柱３２０まで延びているが、上側後方端部３３４は下側後方端部３３５に対して上下にスライド可能となっている。
【００２５】
具体的には、上側後方端部３３４の両端には貫通孔が形成され、上下方向に延びるスライド軸３２１が当該貫通孔を貫通し、スライド軸３２１の頭部３２２が上側後方端部３３４の貫通孔周辺の上面に係止している。また、このスライド軸３２１は、支柱３２０の内部で、上下方向にスライド可能となっている。そして、上側後方端部３３４は、下側後方端部３３５の上面に載せられているだけだが、上側後方端部３３４の両側はスライド軸３２１によって位置がズレないように保持されているので、上側後方端部３３４は、スライド軸３２１に沿って上下方向にスライドできるのである。なお、作業員が、上側後方端部３３４を上下にスライドさせやすいように、ハンドルＨが上側後方端部３３４に取り付けられている。
【００２６】
また、図３に示すように、固定部材４００は断面略コ字状の係止爪４１０を備えており、この係止爪４１０は、固定枠２００の上方支柱２２２に係止している。一方、固定部材４００は可動棚３００の上側後方端部３３４に溶接等により固定されている。そのため、上側後方端部３３４が上下にスライドすると、固定部材４００は上側後方端部３３４と共に上下にスライドする。
【００２７】
なお、この係止爪４１０は、断面略四角形状の上方支柱２２２に係止し易いように、当該上方支柱２２２の形状に合わせて、断面略コ字状に形成しているが、これに限定されず、上方支柱２２２に係止できる形状であれば、その他の任意の形状であってもよい。
【００２８】
また、上側後方端部３３４の前面側には、保持部材５００が固定されている。この保持部材５００は、回転軸５１０を中心に回転可能に固定されており、人の手などで掴んで操作する操作部５２０と、後述するように、上側後方端部３３４と下側後方端部３３５との間に入り込む差込部５３０とを備える。なお、図３（ａ）に示すように、上側後方端部３３４の前側面であって、保持部材５００の差込部５３０に相対する部分には、後述するように、差込部５３０が通過可能な大きさの切欠部３３６が形成されている。
【００２９】
また、図３に示すように、上側後方端部３３４が下方へスライドし、上側後方端部３３４が下側後方端部３３５上に載置されている状態では、切欠部３３６は下側後方端部３３５の側面と重なって塞がれているので、保持部材５００の差込部５３０は、切欠部３３６から内側へ入り込むことができない。そして、保持部材５００の先端５３１は、下側後方端部３３５の側面に当接しているので、保持部材５００は回転軸５１０を中心に、斜め上方に持ち上げられた状態となっている。そのため、保持部材５００には、自重によって、回転軸５１０を中心に下方へ回転する力が働いている。
【００３０】
ここで、図３では、可動棚３００の固定部材４００の係止爪４１０が、固定枠２００の上方支柱２２２に係止しているので、可動棚３００は固定枠２００に固定されて移動できない状態である。次に、作業員が、可動棚３００を前方へ移動させて、可動棚３００の回転部３４０を回転させる場合について、図４及び図５を参照して説明する。なお、図４（ａ）は、可動棚３００の上端付近を拡大した斜視図、図４（ｂ）は、図４（ａ）におけるＢ―Ｂ断面図である。
【００３１】
まず、図４に示すように、可動棚３００を前方へ移動させるべく、作業員は、可動棚３００の固定部材４００の固定を解除する。具体的には、作業員が、ハンドルＨを掴んで上方へ持ち上げると、ハンドルＨが取り付けられた上側後方端部３３４は、スライド軸３２１に沿って上方へスライドする。すると、上側後方端部３３４に固定された固定部材４００も上方へスライドし、固定枠２００の上方支柱２２２から外れた状態となる。これにより、可動棚３００の固定枠２００への固定が解除され、可動棚３００が前方へ移動できるようになる。
【００３２】
また、上側後方端部３３４が上方へスライドしたことで、上側後方端部３３４と下側後方端部３３５の間には空間Ｘが出来て、上側後方端部３３４の切欠部３３６と空間Ｘは連通した状態となる。すると、保持部材５００の差込部５３０が、切欠部３３６を介して空間Ｘ内に入り込むことが出来る状態となる。
【００３３】
そして、保持部材５００には、自身の自重によって、回転軸５１０を中心に下方へ回転する力が働いているので、上側後方端部３３４が上方にスライドされるのと同時に、保持部材５００の差込部５３０は切欠部３３６を介して空間Ｘ内に、自動的に入り込むのである。このように、差込部５３０が、上側後方端部３３４と下側後方端部３３５の間に差し込まれることで、上側後方端部３３４に固定された固定部材４００が不用意に下方へスライドすることを防止でき、可動棚３００の固定枠２００への固定が解除された状態を維持できるのである。その結果、可動棚３００の前方への移動や、後方へ移動させて固定枠２００へ収容する操作が行い易いのである。
【００３４】
では、作業員が、可動棚３００を前方へ移動させて、可動棚３００の回転部３４０を回転させる様子について、図５を参照して説明する。なお、図５（ａ）は陳列装置１００の斜視図、図５（ｂ）は、前方へ移動させた可動棚３００の上端側を拡大して示した斜視図である。
【００３５】
図５に示すように、固定枠２００への固定が解除された可動棚３００は、前方へ移動させることができる。その際、可動棚３００の底部３１０の外側側面と固定枠２００の脚部２１０の内側側面との間にはレール部材が取り付けられているので、可動棚３００はこのレール部材に沿って、固定枠２００に対して前後にスムーズに移動することができる。
【００３６】
そして、可動棚３００を前方へ移動させた後、図５（ｂ）に示すように、回転部３４０を回転させる。具体的には、回転部３４０の上端面のロック孔３４４に挿入されていたロックピン３５５を上方へ抜き、回転部３４０が回転できるようにする。その次に、回転部３４０の後面側にある陳列部３４３を前側に移動させるべく、回転部３４０を１８０度回転させる。これにより、前面側の陳列部３４２に並べられた商品から、後面側の陳列部３４３に並べられた商品へと、回転部３４０を回転させるだけで極めて簡単に変更することができるのである。なお、回転部３４０を回転させるために、可動棚３００を前方へ移動させるのは、隣接する可動棚３００の回転部３４０同士が接触して、回転部３４０を簡単に回転させることができないからである。
【００３７】
次にロックピン３５５を降ろして、回転部３４０のロック孔３４４に差し込み、回転部３４０が不用意に回転するのを防止する。その後、可動棚３００を再び後方へスライド移動させて、元の位置へと移動させる。すると、図４に示す状態となる。
【００３８】
この図４に示す状態では、可動棚３００が前後へ移動できる状態なので、可動棚３００を固定枠２００に固定する必要がある。そこで、作業者は保持部材５００の操作部５２０を手で掴み、回転軸５１０を中心に上方へ回転させると、差込部５３０は、空間Ｘから切欠部３３６を介して外部へ抜け出る。すると、上側後方端部３３４は自重により下方へスライド移動して、図３に示すように、下側後方端部３３５の上に再び重なる。その際、上側後方端部３３４に固定されている固定部材４００も、下方へスライド移動して上方支柱２２２に係止する。そのため、固定部材４００によって、可動棚３００は固定枠２００に再び固定された状態となり、可動棚３００は前後に移動できなくなるのである。
【００３９】
また、可動棚３００の棒状のスライド軸３２１は、支柱３２０内部で上下方向へ貫通するように延びており、上側後方端部３３４の上下へのスライドに伴って、支柱３２０の内部で、上下方向にスライドするようになっている。そして、図３（ｂ）に示すように上側後方端部３３４が下方へスライドした状態では、スライド軸３２１も下方へスライドし、スライド軸３２１の最下端部（不図示）が、固定枠２００の脚部２１０の固定穴（不図示）に差し込まれる。そのため、可動棚３００は、固定枠２００に強固に固定されるのである。一方、図４（ｂ）に示すように上側後方端部３３４が上方へスライドした状態では、スライド軸３２１も上方へスライドし、スライド軸３２１の最下端部（不図示）が、固定枠２００の脚部２１０の固定穴（不図示）から引き抜かれる。そのため、可動棚３００の固定枠２００への固定が解除され、可動棚３００を移動させることができるのである。
【００４０】
このように、本願発明の陳列装置１００によれば、可動棚３００を前方にスライドさせて、回転部３４０を回転させれば、回転部３４０の前面側の陳列部３４２と後面側の陳列部３４３を瞬時に入れ替えることができる。そのため、従来のように、陳列部に陳列されている商品を一旦取り出して、別の保管場所に移しておき、別の商品に入れ替える必要がなく、商品の入れ替え作業が非常に簡単なのである。
【００４１】
さらに、本願発明の陳列装置１００によれば、可動棚３００を固定枠２００に固定する固定部材４００を備えており、この固定部材４００は、下方へスライドさせると、可動棚３００が固定枠２００に固定され、上方へスライドさせると固定が解除されるので、操作が非常に行い易いのである。
【００４２】
特に、買い物客が可動棚３００から商品を取り出す際、買い物客が可動棚３００の陳列部３４２の一部に触れて、可動棚３００を前方へ引き出す外力が働く可能性がある。仮に、前方へ引き出す外力によって、可動棚３００と固定枠２００との固定が簡単に解除されてしまうと、不用意に可動棚３００が前方へ移動してしまう可能性もある。しかしながら、本願発明の陳列装置１００の固定部材４００は、前方とは略直角の関係にある上方へスライドさせることで、可動棚３００と固定枠２００との固定が解除される構成となっているので、例え、可動棚３００を前方へ引き出す外力がかかっても、簡単に固定が解除されることはないのである。
【００４３】
なお、固定部材４００を下方へスライドさせると、可動棚３００が固定枠２００に固定され、上方へスライドさせると固定が解除されるが、これに限定されず、固定部材４００を上方へスライドさせると、可動棚３００が固定枠２００に固定され、下方へスライドさせると固定が解除される構成としてもよい。
【００４４】
＜変形例＞
では次に、図６から図８を参照して、本願発明の変形例に係る陳列装置１００Ａについて説明する。この陳列装置１００Ａの構成は、保持部材５００Ａの形状が、図１から図５に示す陳列装置１００の保持部材５００の形状と異なる点、及び、固定枠２００が解除部材６００を備える点で、陳列装置１００の構成と異なるが、その他の構成は陳列装置１００と共通している。そのため、共通する部分には、陳列装置１００の各部分と同一の符号を付して、詳細な説明を省略する。なお、図６（ａ）は、可動棚３００の上端付近を拡大した斜視図、図６（ｂ）は、図６（ａ）におけるＣ―Ｃ断面図である。
【００４５】
まず、図６に示す状態は、上側後方端部３３４が下側後方端部３３５上に載置されており、可動棚３００の固定部材４００の係止爪４１０が、固定枠２００の上方支柱２２２に係止しているので、可動棚３００は固定枠２００に固定されて移動できない状態である。
【００４６】
また、上側後方端部３３４の前面側には、保持部材５００Ａが固定されている。この保持部材５００Ａは、回転軸５１０Ａを中心に回転可能に固定されており、操作部５２０Ａと、後述するように、上側後方端部３３４と下側後方端部３３５との間に入り込む差込部５３０Ａと、当該差込部５３０Ａより下方へ延出している延出部５４０Ａとを備える。なお、この保持部材５００Ａは、操作部５２０Ａを用いなくても、後述するように、解除部材６００によって自動的に保持状態を解除できるようになっている。そのため、操作部５２０Ａは必須の構成要素ではない。
【００４７】
また、固定枠２００の上方支柱２２２には、解除部材６００が固定されている。この解除部材６００は、上方支柱２２２に連結固定された固定部６１０と、当該固定部６１０から前方へ向けて突出している突出板６２０とを備える。この突出板６２０は、バネ状の弾性変形部６２２を介して、固定部６１０に固定されており、その先端６２１は上方へ向けて屈曲している。
【００４８】
また、保持部材５００Ａの延出部５４０Ａには、解除部材６００の先端６２１が当接しているので、保持部材５００Ａは回転軸５１０Ａを中心に、斜め上方に持ち上げられた状態となっている。そのため、保持部材５００Ａには、自重によって、回転軸５１０Ａを中心に下方へ回転する力が働いている。
【００４９】
では次に、可動棚３００の回転部３４０を回転させるために、作業員が、可動棚３００を前方へ移動させる場合について、図７を参照して説明する。なお、図７（ａ）は、可動棚３００の上端付近を拡大した斜視図、図７（ｂ）は、図７（ａ）におけるＤ―Ｄ断面図である。
【００５０】
まず、図７に示すように、可動棚３００を前方へ移動させるべく、作業員は、可動棚３００の固定部材４００の固定を解除する。具体的には、作業員が、ハンドルＨを掴んで上方へ持ち上げると、上側後方端部３３４に固定された固定部材４００も上方へスライドし、固定部材４００が固定枠２００の上方支柱２２２から外れた状態となる。これにより、可動棚３００の固定枠２００への固定が解除され、可動棚３００が前方へ移動できるようになる。
【００５１】
その際、上側後方端部３３４が上方へスライドしたことで、上側後方端部３３４と下側後方端部３３５の間には空間Ｘができる。さらに、上側後方端部３３４が上方へスライドすることで、保持部材５００Ａも上方へスライドする。すると、当該保持部材５００Ａの延出部５４０Ａは、突出板６２０の先端６２１を乗り越えるように、上方へスライドすることになる。
【００５２】
そして、保持部材５００Ａには、自重によって回転軸５１０Ａを中心に下方へ回転する力が働いている。そのため、上側後方端部３３４が上方にスライドし、保持部材５００Ａの延出部５４０Ａが、突出板６２０の先端６２１を乗り越えると、保持部材５００Ａの差込部５３０Ａは空間Ｘ内に、自動的に入り込むのである。このように、差込部５３０Ａが、上側後方端部３３４と下側後方端部３３５の間に差し込まれることで、上側後方端部３３４に固定された固定部材４００が不用意に下方へスライドすることを防止でき、可動棚３００の固定枠２００への固定が解除された状態を保持できるのである。
【００５３】
次に、可動棚３００の固定枠２００への固定が解除された後、図８（ａ）に示すように、可動棚３００を前方へ移動させる。そして、可動棚３００が前方へ移動すると、保持部材５００Ａの延出部５４０Ａが、解除部材６００の突出板６２０の先端６２１に当接する。しかしながら、突出板６２０は弾性変形部６２２を中心に下方へ弾性変形できるので、図８（ａ）に示すように、保持部材５００Ａの延出部５４０Ａは、突出板６２０を下方へ弾性変形させながら、前方へ移動していくことができるのである。
【００５４】
このようにして、可動棚３００を前方へ移動させた後は、図５を参照して説明したように、回転部３４０を回転させる。そして、その後、図８（ｂ）に示すように、可動棚３００を再び後方へスライド移動させて、元の位置へと移動させる。
【００５５】
この図８（ｂ）に示すように、可動棚３００を再び後方へスライド移動させた後には、可動棚３００を固定枠２００に固定する必要がある。保持部材５００Ａは固定部材４００が固定枠２００から外れた状態を保持しているが、後述するように、解除部材６００は、当該保持状態を解除して、可動棚３００を固定枠２００へ自動的に固定できるのである。
【００５６】
具体的には、図８（ｂ）に示すように、可動棚３００を固定枠２００へ向けて後方へスライド移動させると、解除部材６００の突出板６２０の先端６２１が、保持部材５００Ａの延出部５４０Ａに当接する。そして、そのまま可動棚３００が後方へスライド移動していくと、保持部材５００Ａは、突出板６２０の先端６２１に押されて、回転軸５１０Ａを中心に上方へ持ち上げられるように回転するのである。すると、その回転に伴い、保持部材５００Ａの差込部５３０Aは、空間Ｘから外部へ引き抜かれていくのである。
【００５７】
そして、可動棚３００が、固定枠２００へ接触するまで完全に元の位置へと移動すると、保持部材５００Ａの差込部５３０Aが空間Ｘから完全に引き抜かれる。すると、上側後方端部３３４及び固定部材４００が自重によって、自動的に下方へスライドする。それに伴い、固定部材４００の係止爪４１０が、固定枠２００の上方支柱２２２に係止するので、図６（ｂ）に示すように、可動棚３００は固定枠２００に再び固定されて移動できない状態となるのである。
【００５８】
なお、本願発明の陳列装置は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2019024523.tif 000003
【図２】
2019024523.tif 000004
【図３】
2019024523.tif 000005
【図４】
2019024523.tif 000006
【図５】
2019024523.tif 000007
【図６】
2019024523.tif 000008
【図７】
2019024523.tif 000009
【図８】
2019024523.tif 000010